(57)【要約】【課題】  スクリーン装置を天井や壁面に取付けた状態で、スクリーンの巻上げ速度の微調整が可能な巻上げ速度調整機構及びそれを用いたスクリーン装置を提供すること。【解決手段】  巻上げ速度を調整する速度調整機構に、クラッチドラムを有するサイドプレートからなる固定部と、そのクラッチドラムを介して同心で回動する回転部とからなる機構を用いる。その回転部は、コイルスプリングの固定された回動軸と連結された駆動部と、ダイヤル部とを有する。その駆動部の基体部に、サイドプレートの主面に摺動可能な１個以上の係合部を設ける一方、サイドプレートの周方向にその係合部が係脱可能に複数の係合受部を設け、ダイヤル部を回動させ係合部の係合位置を段階的に変化させることにより駆動部の回動を段階的に変化させて、コイルスプリングの巻込み量を段階的に増減させる。【選択図】図４
2005113538.tif 000002
【特許請求の範囲】
【請求項１】
回動軸に固定されたコイルスプリングを有するスプリングロールと、該スプリングロールに一端が固着されるとともにスプリングロールに巻回されたシート状巻物とを有する吊下げ式の巻物装置に使用され、シート状巻物の巻上げ速度を調整する速度調整機構であって、
クラッチドラムを有するサイドプレートからなる固定部と、
該クラッチドラムを介して同心で回動する回転部とからなり、該回転部は、ダイヤル部と上記回動軸と連結された駆動部とからなり、
該駆動部の基体部に、上記サイドプレートの主面に摺動可能な１個以上の係合部を設ける一方、上記サイドプレートの周方向に上記係合部が係脱可能に複数の係合受部を設け、上記ダイヤル部を回動させ上記係合部の係合位置を段階的に変化させることにより駆動部の回動を段階的に変化させて、コイルスプリングの巻込み量を段階的に増減させるようにした巻上げ速度調整機構。
【請求項２】
上記回転部が、上記クラッチドラムに順次外挿されるクラッチスプリング、調整ドラム及びダイヤルとからなるダイヤル部と、上記クラッチドラムの内側に内挿され基体部を有する駆動ドラムからなる駆動部を有し、ダイヤルの回動によりクラッチスプリングのクラッチドラムに対する巻付きを解除して、調整ドラムと駆動ドラムを一体回動させる請求項１記載の速度調整装置。
【請求項３】
上記調整ドラムは円周方向に開口部を有し、上記ダイヤルは内側に突設された突出部を有しており、上記クラッチスプリングの両端部を上記調整ドラムの開口部内に突出可能に挿入する一方、上記クラッチスプリングの両端部の間にダイヤルの上記突出部を挿入し上記ダイヤル部を構成してなる請求項２記載の速度調整装置。
【請求項４】
回動軸に固定されたコイルスプリングを有するスプリングロールと、該スプリングロールに一端が固着されるとともにスプリングロールに巻回されたスクリーンと、スクリーンの巻上げ速度を調整する速度調整機構を有する吊下げ式のスクリーン装置であって、
上記速度調整機構が、クラッチドラムを有するサイドプレートからなる固定部と、該クラッチドラムを介して同心で回動する回転部とからなり、
該回転部は、ダイヤル部と上記回動軸と連結された駆動部とからなり、
該駆動部の基体部に、上記サイドプレートの主面に摺動可能な１個以上の係合部を設ける一方、上記サイドプレートの周方向に上記係合部が係脱可能に複数の係合受部を設け、上記ダイヤル部を回動させ上記係合部の係合位置を段階的に変化させることにより駆動部の回動を段階的に変化させて、コイルスプリングの巻込み量を段階的に増減させるようにしたスクリーン装置。
【請求項５】
上記回転部が、上記クラッチドラムに順次外挿されるクラッチスプリング、調整ドラム及びダイヤルとからなるダイヤル部と、上記クラッチドラムの内側に内挿され基体部を有する駆動ドラムからなる駆動部を有し、ダイヤルの回動によりクラッチスプリングのクラッチドラムに対する巻付きを解除して、調整ドラムと駆動ドラムを一体回動させる請求項４記載のスクリーン装置。
【請求項６】
上記調整ドラムは円周方向に開口部を有し、上記ダイヤルは内側に突設された突出部を有しており、上記クラッチスプリングの両端部を上記調整ドラムの開口部内に突出可能に挿入する一方、上記クラッチスプリングの両端部の間にダイヤルの上記突出部を挿入し上記ダイヤル部を構成してなる請求項５記載のスクリーン装置。
【発明の詳細な説明】
【技術分野】
【０００１】
本発明は、巻上げ速度調整機構及びそれを用いたスクリーン装置、さらに詳しくはシート状巻物の巻上げ速度調整機構及びそれを用いた吊下げ式のスクリーン装置に関する。
【背景技術】
【０００２】
プロジェクタからの画像は、反射型スクリーンに拡大投影されて表示される。そして、天井あるいは壁面に取り付けて使用される吊下げ式のスクリーン装置は、一般に収納ケースに収容されたスクリーンを、必要に応じ、電動あるいは手動により引き下げて使用している。
【０００３】
吊下げ式のスクリーン装置には、通常、スプリングロールに巻回されたスクリーン、いわゆるロールスクリーンが使用されており、スプリングロールに内蔵されたコイルスプリングの弾性力を利用してスクリーンを巻上げている。ここで、スクリーンの巻上げ速度は、通常、初巻きを行いコイルスプリングの巻上げトルクを変化させることにより調整している。初巻きは、従来、スクリーン装置からスプリングロールを取り外して行われていたが、近年、スクリーン装置に取付けた状態で行う方法が提案されている（例えば、特許文献１と２）。特許文献１には、コイルスプリングの一端に取付けたステータを無段階で回動させるダイヤルと、このダイヤルと連携し、ステータとローテータを係止させスクリーンを所定の位置で停止させるクラッチを有する調整装置が記載されている。また、特許文献２には、コイルスプリングの一端に取付けた調整装置を巻取りパイプの一端に収容し、調整装置を操作する調節軸の基端を取付金具の側面に露出させ、その基端から汎用工具を利用して調節軸を回転させることにより初巻きを調整する装置が記載されている。
【０００４】
【特許文献１】特公昭６３−８２６９号公報
【特許文献２】実公平６−１７９９５号公報
【発明の開示】
【発明が解決しようとする課題】
【０００５】
しかしながら、上記のいずれの方法でも巻上げ速度の微調整が不十分であり、巻上げ速度が大きすぎると収納ケースの開口部にアンダーバーが衝突しあるいは巻き乱れによりスクリーンが破損したり、また巻上げ速度が小さすぎるとスクリーンの垂れ下がりが大きく収納ケースに収容できなかったり、巻上げに時間がかかり過ぎるという問題が解決されていない。
【０００６】
そこで、本発明は、スクリーン装置を天井や壁面に取付けた状態で、スクリーンの巻上げ速度の微調整が可能な巻上げ速度調整機構及びそれを用いたスクリーン装置を提供することを目的とした。
【課題を解決するための手段】
【０００７】
上記課題を解決するため、本発明の巻上げ速度調整機構は、回動軸に固定されたコイルスプリングを有するスプリングロールと、該スプリングロールに一端が固着されるとともにスプリングロールに巻回されたシート状巻物とを有する吊下げ式の巻物装置に使用され、シート状巻物の巻上げ速度を調整する速度調整機構であって、クラッチドラムを有するサイドプレートからなる固定部と、該クラッチドラムを介して同心で回動する回転部とからなり、該回転部は、ダイヤル部と上記回動軸と連結された駆動部とからなり、該駆動部の基体部に、上記サイドプレートの主面に摺動可能な１個以上の係合部を設ける一方、上記サイドプレートの周方向に上記係合部が係脱可能に複数の係合受部を設け、上記ダイヤル部を回動させ上記係合部の係合位置を段階的に変化させることにより駆動部の回動を段階的に変化させて、コイルスプリングの巻込み量を段階的に増減させるようにしたことを特徴とする。
【０００８】
また、本発明の速度調整装置は、回転部に、クラッチドラムに順次外挿されるクラッチスプリング、調整ドラム及びダイヤルからなるダイヤル部と、クラッチドラムの内側に内挿され基体部を有する駆動ドラムからなる駆動部を有し、ダイヤルの回動によりクラッチスプリングのクラッチドラムに対する巻付きを解除して、調整ドラムと駆動ドラムを一体回動させるものを用いることができる。
【０００９】
また、本発明の速度調整装置は、調整ドラムが円周方向に開口部を有し、ダイヤルが内側に突設された突出部を有するものを用い、クラッチスプリングの両端部を調整ドラムの開口部内に突出可能に挿入する一方、クラッチスプリングの両端部の間にダイヤルの突出部を挿入してダイヤル部を構成することができる。
【００１０】
また、本発明のスクリーン装置は、回動軸に固定されたコイルスプリングを有するスプリングロールと、該スプリングロールに一端が固着されるとともにスプリングロールに巻回されたスクリーンと、スクリーンの巻上げ速度を調整する速度調整機構を有する吊下げ式のスクリーン装置であって、上記速度調整機構が、クラッチドラムを有するサイドプレートからなる固定部と、該クラッチドラムを介して同心で回動する回転部とからなり、該回転部は、ダイヤル部と上記回動軸と連結された駆動部とからなり、該駆動部の基体部に、上記サイドプレートの主面に摺動可能な１個以上の係合部を設ける一方、上記サイドプレートの周方向に上記係合部が係脱可能に複数の係合受部を設け、上記ダイヤル部を回動させ上記係合部の係合位置を段階的に変化させることにより駆動部の回動を段階的に変化させて、コイルスプリングの巻込み量を段階的に増減させるようにしたことを特徴とする。
【発明の効果】
【００１１】
本発明の速度調整機構は、ダイヤル部を回動させ駆動部の係合部の係合位置を段階的に変化させるクリック操作により駆動部の回動を段階的に変化させて、コイルスプリングの巻込み量を段階的に増減させるようにしたので、巻物の巻上げ速度の微調整を行うことが可能となる。これにより、例えば、巻上げ速度が大きすぎると収納ケースにスクリーンが衝突によりあるいは巻き乱れによりスクリーンが破損したり、また巻上げ速度が小さすぎてスクリーンの垂れ下がりが大きく収納ケースに収容できなかったり、巻上げに時間がかかり過ぎることがない。
また、クリック操作によりダイヤルの位置決めを容易に行うことができるので、例えば特許文献１に記載されている従来の無段階のダイヤル機構に比べ、極めて正確に巻上げ速度を調整することが可能となる。
また、上記速度調整機構は、スクリーン装置のみならず、シート状巻物を巻き出して使用するロールブランド等にも好適に使用することができる。
【発明を実施するための最良の形態】
【００１２】
以下、本発明の実施の形態について図面を参照して説明する。
図１は、本実施の形態に係るスクリーン装置１の構造の一例を示す斜視図であり、スクリーンを巻出した状態を示している。スクリーン装置１は、天井等に固定され、収納ケース２を有しており、その中には、両端をブラケット（不図示）により回転自在に吊下げ支持されたスプリングロール（不図示）が収納されている。また、収納ケース２の一端にはスクリーンの巻上げ速度を調整する速度調整機構３０に取付けられ、他端にはブラケットを保護するブラケット用キャップ（不図示）が取付けられている。スクリーン８は、その一端がスプリングロールに固着されてスプリングロールに巻回されており、他端はアンダーバー９に固着されている。スクリーン８は、使用時には把手１０により収納ケース２から巻出され、収納時には巻回されて収納ケース２に収納される。
【００１３】
図２は、図１のＩＩ−ＩＩ’線断面における縦断面図である。収納ケース２の一端には、ブラケット用キャップ５によりその表面が保護されたブラケット４が固定されている。一方、収納ケース２の他端には、速度調整機構３０が取付けられている。スプリングロール３の一端には回動軸１５が内蔵されており、スプリングロール３は、回動軸１５を中心として回動する。スプリングロール３のパイプ５には、一端が固着されたスクリーン８が巻回されており、その内部には、回動軸１５と同軸的に回動する中間軸１３が回動軸１５に連結されている。中間軸１３には、コイルスプリング１４が巻付き固定されており、スプリングロール３に巻戻し方向の付勢力を付与する。ここで、コイルスプリング１４は、その一端をクラッチ機構２５の、枠体２０と一体である軸受け部２５ａにネジ６により係止され、他端は中間軸１３の端部に固定された軸受け部１３ａにネジ７により係止されている。
【００１４】
速度調整機構３０は、クラッチドラムを有するサイドプレート３２からなる固定部と、該クラッチドラムを介して同心で回動する回転部とから構成される。さらに、回転部は、ダイヤル部と駆動部とから構成される。ダイヤル部は、クラッチドラムに順次外挿されるクラッチスプリング３３、調整ドラム３４及びダイヤル３５とから構成され、駆動部はクラッチドラムの内側に内挿された駆動ドラム３１から構成され、ネジ３６を用いて駆動部とダイヤル部とは一体化されている。なお、駆動ドラム３１の内側にクラッチ機構２５の回動軸１５の一端を嵌合することにより、速度調整機構３０とクラッチ機構２５が連結されている。
【００１５】
図３は、図２のＩＩＩ−ＩＩＩ’線断面における横断面図である。サイドプレート３２は、基体部３２ａとクラッチドラム３２ｂを有し、ブラケット４に固定するための固定穴３２ｄを有している。調整ドラム３４は円周方向に開口部３４ａを有し、ダイヤル３５はその内側に突設された突出部３５ａを有しており、クラッチスプリング３３の両端部３３ａ，３３ｂが調整ドラム３４の開口部３４ａ内に突出し、その両端部３３ａ，３３ｂの間にダイヤルの突出部３５ａが挿入されるように、クラッチドラムに、クラッチスプリング３３、調整ドラム３４、そしてダイヤル３５がこの順で外挿されて構成されている。
【００１６】
図４と５は、速度調整機構の構成を示す模式分解斜視図であり、配置を明らかにするため、図４はダイヤル側から見た場合、そして図５は駆動ドラム側から見た場合の図を示している。図４に示すように、駆動ドラム３１の内側にクラッチ機構２５の回動軸１５を嵌合して、駆動ドラムとクラッチ機構２５とを連結する。なお、コイルスプリング１４の一端はクラッチ機構２５の軸受け部２５ａに固定されている。駆動ドラム３１は、基体部３１ａと、その基体部から立ち上がるドラム部３１ｄを有している。基体部３１ａは、４個の突出部３１ｂを有し、その突出部の先端にはサイドプレート３２に対向するように突起部３１ｃが形成されている。さらに、ドラム部３１ｄの上面には円周方向に係合部として複数の凸部３１ｅが形成されており、図５に示すように、調整ドラム３４の中心孔３４ｂの周囲に形成された係合受け部としての複数の凹部３４ｃに嵌合して、駆動ドラム３１と調整ドラム３４とが一体化される。
なお、図４及び５では、駆動ドラムの係合部として凸部３１ｅ、調整ドラムの係合受け部として凹部３４ｃを用いて嵌合した例を示しているが、係合部として凹部、係合受け部として凸部を用いても同様の効果を有する。
【００１７】
調整ドラム３４はクラッチスプリング３３に外挿して、クラッチスプリングの両端部３３ａ，３３ｂは調整ドラムの周方向に形成された開口部３４ａに突出するように配置する。さらに、調整ドラム３４にダイヤル３５を外挿して、ダイヤル３５の内側に形成された突出部がクラッチスプリングの両端部３３ａ，３３ｂの間に位置するように配置する。そして、駆動ドラム３１とダイヤル３５とを、サイドプレート３２、クラッチスプリング３２、そして調整ドラム３４を介してネジ３６をネジ受け部３５ｂに取付けることにより固定する。
【００１８】
ここで、サイドプレート３２の基体部３２ａのクラッチドラム３２ｂの反対面には、駆動ドラム３１の突起部３１ｃを係脱可能に、複数の凹部３２ｃが円状に所定間隔で形成されている。駆動ドラム３１が回動すると、駆動ドラム３１の突起部３１ｃは基体部３２ａクラッチドラム３２ｂの反対面上を摺動し、凹部３２ｃに弾接してクリック感を発生する。
なお、図４及び５では、駆動ドラムの係合部として突起部３１ｃ、サイドプレートの係合受け部として凹部３２ｃを用いた例を示しているが、係合部として凹部、係合受け部として突起部を用いても同様の効果を有する。
【００１９】
なお、駆動ドラムは、弾性を有する金属又は樹脂材料から成るものを用いることができる。また、図４では突出部の数を４個とし、星型形状の駆動ドラムを示しているが、突出部の数は２個以上であれば特に限定されない。
【００２０】
ダイヤル３４をいずれの方向に回しても、その突出部３５ａがクラッチスプリング３３の両端部３３ａ，３３ｂの一方に当接しクラッチスプリング３３を巻戻す方向に押すので、クラッチスプリング３３はクラッチドラム３２ｂに対する巻付きを解除される。これにより、クラッチスプリング３３は調整ドラム３４とともに回動する。この時、調整ドラム３４を介して駆動ドラム３１も回動する。この回動時に、駆動ドラム３１の突起部３１ｃはサイドプレートの凹部３２ｃとの係合が解除されて周方向に移動し、駆動ドラム３１と調整ドラム３４とが一体的に回動する。そして、駆動ドラム３１の突起部３１ｃが別の凹部３２ｃと係合する位置でダイヤル３５を回すのを止めると、ダイヤル３５が固定される。一方、駆動ドラム３１側からの回動に対しては調整ドラム３４の開口部３４ａがクラッチスプリング３３の両端部３３ａ，３３ｂをクラッチスプリング３３の巻締め方向に押すので、クラッチスプリング３３はクラッチドラム３２ｂに巻付き、駆動ドラム３１の回動は阻止される。これにより、ダイヤル３５を回すのを停止した際の反動によるコイルスプリングの巻戻りを抑制することができる。
【００２１】
また、本発明のスクリーン装置には、以下に説明するクラッチ機構を用いることができるが、これに限定されるものではない。スクリーンの巻出しを許す一方、スプリングロールの巻上げ方向への付勢力に抗して巻出したスクリーンの巻戻しを阻止する機能を有するものではあれば特に限定されない。
図２に示すように、クラッチ機構は、回動軸１５の外側に嵌挿されたドラム１７からなる従動部と、該ドラム１７の外側に嵌挿された枠体２０からなる原動部とで構成される。枠体２０の一端には枠体と一体の軸受け部２５ａが設けられて中間軸１３が挿通され、軸受け部２５ａにはコイルスプリング１４の一端が係止されている。枠体２０はベアリング１６を介して回動可能である。枠体２０の外周面にはその母線方向に、スプリングロール３の内面に設けられた突部及び突条（不図示）と嵌合する突部と突条（不図示）が設けられており、スプリングロール３と嵌合する。さらに、回動軸１５とドラム１７とを、回動軸１５にきつく巻回し先端をドラム１７に係止したクラッチスプリング２１で連結する。これにより、スクリーン８を巻出すと、回動軸１５に対してドラム１７がクラッチスプリング２１の巻戻し方向に回転し、クラッチスプリング２１の回動軸１５とドラム１７に対する巻付きが弱くなり、ドラム１７の回転は許容される。その結果、スプリングロール３は同軸的にドラム１７と連動回動する。
一方、スクリーン８を巻戻すと、回動軸１５に対してドラム１７がクラッチスプリング２１の巻締め方向に回転し、クラッチスプリング２１はより強く回動軸１５とドラム１７に巻付いて、ドラム１７の回転は阻止される。
【００２２】
また、ドラム１７には、円周面にガイド溝１９が形成されている。また、枠体２０には、その母線方向に断面半円状のスライド溝２０ａが形成されている。そして、ガイド溝１９とスライド溝２０ａとの間の空隙には摺動ボール１８が配置されており、枠体２０が回転すると、摺動ボール１８はスライド溝２０ａ内を枠体２０の母線方向に移動しながらガイド溝１９内を移動することができる。ここで、ガイド溝には、油やグリース等の潤滑剤を充填することが好ましい。潤滑剤は摺動ボールとガイド溝との間に発生する転がり摩擦を低減するので、スクリーンの巻戻し及び巻出しをより軽快に行うことができる。また、潤滑剤は摺動ボールに回転抵抗を与えるので、摺動ボールの遊動を抑制する。これにより、例えば、スクリーンが傾いた場合、摺動ボールがスクリーンの傾斜方向に移動するのを抑制できるので、枠体の回転に同期した移動のみを可能とすることができる。
【００２３】
以下、本実施の形態に係るスクリーン装置の動作について説明する。
スクリーン装置を天井又は壁に取付けた後、スクリーンの巻出しと巻上げを行い、コイルスプリングの巻上げトルクの強弱を調べ、スクリーンを巻上げた後、速度調整機構を用いて初巻きを行いコイルスプリングの巻込み量を調整する。例えば、巻上げ速度が小さい場合は、ダイヤルをコイルスプリングを巻込む方向に回すと、ダイヤルの突出部がクラッチスプリングの両端部の一方に当接しクラッチスプリングを巻戻す方向に押すので、クラッチスプリングはクラッチドラムに対する巻付きを解除される。これにより、駆動ドラムの突起部はサイドプレートの凹部との係合が解除されて周方向に移動し、複数の凹部との係脱を繰り返して駆動ドラムはコイルスプリングの固定された回動軸を回動させてコイルスプリングの巻込み量を段階的に増加させることができる。サイドプレートの凹部の数を増やす、あるいは凹部間の間隔を狭くすることにより、巻込み量のより細かい調整が可能となる。
一方、ダイヤルを反対方向に回すと、駆動ドラムは、回動軸も反対方向に回動させてコイルスプリングの巻込み量を減らすことができる。これにより、スクリーン装置を取付けた状態で、コイルスプリングの巻込み量を段階的に変化させることができるので、スクリーンの巻上げ速度を容易に調整することが可能となる。
【００２４】
なお、実施の形態においては、速度調整機構のクラッチスプリングをクラッチドラムに外挿し、そのクラッチスプリングを巻戻してクラッチドラムに対する巻付きを解放することにより駆動ドラムを回動可能とする例について説明したが、例えば、特許文献２に開示されているようにクラッチスプリングをクラッチドラムに内挿し、クラッチスプリングを巻締めることによりクラッチドラムに対する圧着力を減らして駆動ドラムを回動させる方法を用いることもできる。
【図面の簡単な説明】
【００２５】
【図１】本発明の実施の形態に係るスクリーン装置の構造の一例を示す斜視図である。
【図２】図１のＩＩ−ＩＩ′線断面における模式縦断面図である。
【図３】図２のＩＩＩ−ＩＩＩ′線断面における模式横断面図である。
【図４】本発明のスクリーン装置に用いる速度調整機構の構造の一例を示す模式分解斜視図（１）である。
【図５】本発明のスクリーン装置に用いる速度調整機構の構造の一例を示す模式分解斜視図（２）である。
【符号の説明】
【００２６】
１  スクリーン装置、２  収納ケース、３  スプリングロール、４  ブラケット、５  パイプ、６，７  ネジ、８  スクリーン、９  アンダーバー、１０  把手、１２  スプリングロール用キャップ、１３  中間軸、１３ａ  軸受け部、１４  コイルスプリング、１５  回動軸、１６  ベアリング、１７  ドラム、１７ａ  周回溝、１７ｂ  係止溝、１７ｃ  突部、１８  摺動ボール、１９  ガイド溝、２０  枠体、２０ａ  スライド溝、２１  クラッチスプリング、２５  クラッチ機構、２５ａ  軸受け部、３０  速度調整機構、３１  駆動ドラム、３１ａ  基体部、３１ｂ  突出部、３１ｃ  突起部、３１ｄ  ドラム部、３２  サイドプレート、３２ａ  基体部、３２ｂ  クラッチドラム、３２ｃ  凹部、３２ｄ  固定穴、３３  クラッチスプリング、３３ａ，３３ｂ  両端部、３４  調整ドラム、３４ａ  開口部、３４ｂ  中心孔、３４ｃ  凹部、３５  ダイヤル、３５ａ  突出部、３５ｂ  ネジ受け部。
【図１】
2005113538.tif 000003
【図２】
2005113538.tif 000004
【図３】
2005113538.tif 000005
【図４】
2005113538.tif 000006
【図５】
2005113538.tif 000007